(57)【要約】【課題】  不案内な地域で、現在地又は目的地若しくは走行ルートの途中において、レストラン等の食事提供サービス地点を検索し、希望するサービス内容と来店時刻を指定して予約すること。【解決手段】  旅行中に食事をしたくなると希望の食事の種類を入力する。カーナビゲーションシステム１０２は、現在地・目的地・走行ルート周辺のレストラン一覧の固定情報を表示する。使用者が希望するレストランを選択すると、カーナビゲーションシステム１０２は、固定情報の中のアドレスを参照して、店舗群側システム２０のサーバにアクセスし、変動情報をネットワークを介して受信する。その後、希望するサービス内容、希望する時刻を指定し、食事提供サービス地点の予約を行う。【選択図】  図６
2005332414.tif 000002
【特許請求の範囲】
【請求項１】
移動体に搭載される、端末装置に接続されたナビゲーションシステム本体であって、
サービス提供地点の固定情報を保存する記憶手段と、
前記移動体の現在地または目的地を特定し、前記特定した現在地または目的地の周辺のサービス提供地点を前記固定情報から検索する制御手段と、
前記検索したサービス提供地点の固定情報を前記端末装置に出力する手段と、を備え、
前記固定情報は、ネットワークを介してサーバにアクセスして前記サーバに保存された前記変動情報を得る為のアドレスを含むことを特徴とするナビゲーションシステム本体。
【請求項２】
移動体に搭載される、端末装置に接続されたナビゲーションシステム本体であって、
サービス提供地点の固定情報を保存する記憶手段と、
前記移動体の現在地及び目的地を特定し、前記特定した現在地と目的地との間の走行ルート周辺のサービス提供地点を前記固定情報から検索する制御手段と、
前記検索したサービス提供地点の固定情報を前記端末装置に出力する手段と、を備え、
前記固定情報は、ネットワークを介してサーバにアクセスして前記サーバに保存された前記変動情報を得る為のアドレスを含むことを特徴とするナビゲーションシステム本体。
【請求項３】
前記アドレスは、前記端末が、当該アドレスに基づいてネットワークを介してサーバにアクセスして前記サーバに保存された前記変動情報を得る為のアドレスであることを特徴とする請求項１または２に記載するナビゲーションシステム本体。
【請求項４】
移動体に搭載される、端末装置に接続されたナビゲーションシステム本体にサービス提供地点の固定情報を保存し、
前記ナビゲーションシステム本体が、前記移動体の現在地または目的地を特定し、前記特定した現在地または目的地の周辺のサービス提供地点を前記固定情報から検索し、
前記検索したサービス提供地点の固定情報を前記端末装置に出力するナビゲーション方法であって、
前記固定情報は、ネットワークを介してサーバにアクセスして前記サーバに保存された前記変動情報を得る為のアドレスを含むことを特徴とするナビゲーション方法。
【請求項５】
移動体に搭載される、端末装置に接続されたナビゲーションシステム本体にサービス提供地点の固定情報を保存し、
前記ナビゲーションシステム本体が、前記移動体の現在地または目的地を特定し、前記特定した現在地と目的地との間の走行ルート周辺のサービス提供地点を前記固定情報から検索し、
前記検索したサービス提供地点の固定情報を前記端末装置に出力するナビゲーション方法であって、
前記固定情報は、ネットワークを介してサーバにアクセスして前記サーバに保存された前記変動情報を得る為のアドレスを含むことを特徴とするナビゲーション方法。
【請求項６】
前記アドレスは、前記端末が、当該アドレスに基づいてネットワークを介してサーバにアクセスして前記サーバに保存された前記変動情報を得る為のアドレスであることを特徴とする請求項４または５に記載するナビゲーション方法。
【請求項７】
移動体に搭載される、端末装置に接続されたナビゲーションシステム本体に実行させるプログラムであって、
サービス提供地点の固定情報を保存するステップと、
前記移動体の現在地または目的地を特定し、前記特定した現在地または目的地の周辺のサービス提供地点を前記固定情報から検索するステップと、
前記検索したサービス提供地点の固定情報を前記端末装置に出力するステップと、を実行させるプログラムであって、
前記固定情報は、ネットワークを介してサーバにアクセスして前記サーバに保存された前記変動情報を得る為のアドレスを含むことを特徴とするプログラム。
【請求項８】
移動体に搭載される、端末装置に接続されたナビゲーションシステム本体に実行させるプログラムであって、
サービス提供地点の固定情報を保存するステップと、
前記移動体の現在地または目的地を特定し、前記特定した現在地と目的地との間の走行ルート周辺のサービス提供地点を前記固定情報から検索するステップと、
前記検索したサービス提供地点の固定情報を前記端末装置に出力するステップと、を実行させるプログラムであって、
前記固定情報は、ネットワークを介してサーバにアクセスして前記サーバに保存された前記変動情報を得る為のアドレスを含むことを特徴とするプログラム。
【請求項９】
前記アドレスは、前記端末が、当該アドレスに基づいてネットワークを介してサーバにアクセスして前記サーバに保存された前記変動情報を得る為のアドレスであることを特徴とする請求項７または８に記載するプログラム。
【請求項１０】
ナビゲーションシステム本体と、前記ナビゲーションシステム本体に接続された端末装置とからなる移動体搭載システムと、サービス提供地点の変動情報を保存するサーバとが所定のネットワークを介して接続されたナビゲーションシステムであって、
前記ナビゲーションシステム本体は、
サービス提供地点の固定情報を保存する記憶手段と、
前記移動体の現在地または目的地を特定し、前記特定した現在地または目的地の周辺のサービス提供地点を前記固定情報から検索する制御手段と、
前記検索したサービス提供地点の固定情報を前記端末装置に出力する手段と、を備え、
前記固定情報は、前記ネットワークを介してサーバにアクセスして前記サーバに保存された前記変動情報を得る為のアドレスを含むことを特徴とするナビゲーションシステム。
【請求項１１】
ナビゲーションシステム本体と、前記ナビゲーションシステム本体に接続された端末装置とからなる移動体搭載システムと、サービス提供地点の変動情報を保存するサーバとが所定のネットワークを介して接続されたナビゲーションシステムであって、
前記ナビゲーションシステム本体は、
サービス提供地点の固定情報を保存する記憶手段と、
前記移動体の現在地及び目的地を特定し、前記特定した現在地と目的地との間の走行ルート周辺のサービス提供地点を前記固定情報から検索する制御手段と、
前記検索したサービス提供地点の固定情報を前記端末装置に出力する手段と、を備え、
前記端末装置は、
前記固定情報は、前記ネットワークを介してサーバにアクセスして前記サーバに保存された前記変動情報を得る為のアドレスを含むことを特徴とするナビゲーションシステム。
【発明の詳細な説明】
【技術分野】
【０００１】
本発明は、不案内な土地において、食事提供サービスを受けることができる場所等の固定情報、メニューや価格等の変動情報、現在地から食事提供サービス地点までの所用時間を算出し、さらに、その中から食事提供サービスを受けることを希望する場合には、来店時刻、メニュー等を予約することができるカーナビゲーションシステムに関する。
【背景技術】
【０００２】
車両及びその利用に関連する情報を入手する技術として、特開２００１−２１３６８号公報に記載されるものがある。この技術は、カーナビと携帯電話を利用し、駐車場の空き状況や混雑状況を把握しようとするものである。具体的には、この技術は、カーナビにより、車両の座標を計測し、ＣＤーＲＯＭからレストランの概略データを読み出し、携帯電話により、レストランを指定し、その指定したレストランの駐車場のリアルタイム映像を受信するものである。
【０００３】
【特許文献１】特開２００１−２１３６８号公報
【発明の開示】
【発明が解決しようとする課題】
【０００４】
前記技術においては、駐車場の状況把握をリアルタイムで行うことはできるが、その状況がわかったとしても、辿り着くまでの間に、駐車場が満車になることもある。そのため、逐次、カーナビを操作し、その上で映像データを受信し、駐車場の状況把握を行わなければならない。運転中の携帯電話の使用が禁止されていることからも、運転中にこのような操作を繰り返し行ったり、映像データを繰り見たりすることは、極めて危険である。
【０００５】
本発明の目的は、不案内な地域で、現在地又は目的地若しくは走行ルートの途中において、レストラン等の食事提供サービス地点を検索し、希望する食事提供サービスがある場合には、それを予約することができるカーナビゲーションシステム及び方法を提供することである。
【０００６】
本発明の他の目的は、現在地から希望する食事提供サービス地点までの所用時間を考慮して、それを予約することができるカーナビゲーションシステム及び方法を提供することである。
【０００７】
本発明のさらに他の目的は、時刻を指定して食事提供サービスの予約を行うに際して、現在地から希望する食事提供サービス地点までの所用時間までに車両が到着可能な否かを判定しながら、それを予約することができるカーナビゲーションシステム及び方法を提供することである。
【課題を解決するための手段】
【０００８】
本発明の第１のナビゲーションシステム本体は、移動体に搭載される、端末装置に接続されたナビゲーションシステム本体であって、    サービス提供地点の固定情報を保存する記憶手段と、前記移動体の現在地または目的地を特定し、前記特定した現在地または目的地の周辺のサービス提供地点を前記固定情報から検索する制御手段と、  前記検索したサービス提供地点の固定情報を前記端末装置に出力する手段と、を備え、前記固定情報は、ネットワークを介してサーバにアクセスして前記サーバに保存された前記変動情報を得る為のアドレスを含むことを特徴とする。
【０００９】
本発明の第２のナビゲーションシステム本体は、移動体に搭載される、端末装置に接続されたナビゲーションシステム本体であって、サービス提供地点の固定情報を保存する記憶手段と、前記移動体の現在地及び目的地を特定し、前記特定した現在地と目的地との間の走行ルート周辺のサービス提供地点を前記固定情報から検索する制御手段と、前記検索したサービス提供地点の固定情報を前記端末装置に出力する手段と、を備え、前記固定情報は、ネットワークを介してサーバにアクセスして前記サーバに保存された前記変動情報を得る為のアドレスを含むことを特徴とする。
【００１０】
本発明の第３のナビゲーションシステム本体は、前記アドレスは、前記端末が、当該アドレスに基づいてネットワークを介してサーバにアクセスして前記サーバに保存された前記変動情報を得る為のアドレスであることを特徴とする。
【００１１】
本発明の第１のナビゲーション方法は、移動体に搭載される、端末装置に接続されたナビゲーションシステム本体にサービス提供地点の固定情報を保存し、前記ナビゲーションシステム本体が、前記移動体の現在地または目的地を特定し、前記特定した現在地または目的地の周辺のサービス提供地点を前記固定情報から検索し、前記検索したサービス提供地点の固定情報を前記端末装置に出力するナビゲーション方法であって、前記固定情報は、ネットワークを介してサーバにアクセスして前記サーバに保存された前記変動情報を得る為のアドレスを含むことを特徴とする。
【００１２】
本発明の第２のナビゲーション方法は、移動体に搭載される、端末装置に接続されたナビゲーションシステム本体にサービス提供地点の固定情報を保存し、前記ナビゲーションシステム本体が、前記移動体の現在地または目的地を特定し、前記特定した現在地と目的地との間の走行ルート周辺のサービス提供地点を前記固定情報から検索し、前記検索したサービス提供地点の固定情報を前記端末装置に出力するナビゲーション方法であって、前記固定情報は、ネットワークを介してサーバにアクセスして前記サーバに保存された前記変動情報を得る為のアドレスを含むことを特徴とする。
【００１３】
本発明の第３のナビゲーション方法は、前記アドレスは、前記端末が、当該アドレスに基づいてネットワークを介してサーバにアクセスして前記サーバに保存された前記変動情報を得る為のアドレスであることを特徴とする。
【００１４】
本発明の第１のプログラムは、移動体に搭載される、端末装置に接続されたナビゲーションシステム本体に実行させるプログラムであって、サービス提供地点の固定情報を保存するステップと、前記移動体の現在地または目的地を特定し、前記特定した現在地または目的地の周辺のサービス提供地点を前記固定情報から検索するステップと、  前記検索したサービス提供地点の固定情報を前記端末装置に出力するステップと、を実行させるプログラムであって、  前記固定情報は、ネットワークを介してサーバにアクセスして前記サーバに保存された前記変動情報を得る為のアドレスを含むことを特徴とする。
【００１５】
本発明の第２のプログラムは、移動体に搭載される、端末装置に接続されたナビゲーションシステム本体に実行させるプログラムであって、サービス提供地点の固定情報を保存するステップと、前記移動体の現在地または目的地を特定し、前記特定した現在地と目的地との間の走行ルート周辺のサービス提供地点を前記固定情報から検索するステップと、前記検索したサービス提供地点の固定情報を前記端末装置に出力するステップと、を実行させるプログラムであって、前記固定情報は、ネットワークを介してサーバにアクセスして前記サーバに保存された前記変動情報を得る為のアドレスを含むことを特徴とする。
【００１６】
本発明の第３のプログラムは、前記アドレスは、前記端末が、当該アドレスに基づいてネットワークを介してサーバにアクセスして前記サーバに保存された前記変動情報を得る為のアドレスであることを特徴とする。
【００１７】
本発明の第１のナビゲーションシステムは、ナビゲーションシステム本体と、前記ナビゲーションシステム本体に接続された端末装置とからなる移動体搭載システムと、サービス提供地点の変動情報を保存するサーバとが所定のネットワークを介して接続されたカーナビゲーションシステムであって、前記カーナビゲーションシステム本体は、サービス提供地点の固定情報を保存する記憶手段と、前記カーナビゲーションシステム搭載移動体の現在地または目的地を特定し、前記特定した現在地または目的地の周辺のサービス提供地点を前記固定情報から検索する制御手段と、前記検索したサービス提供地点の固定情報を前記端末装置に出力する手段と、を備え、前記固定情報は、前記ネットワークを介してサーバにアクセスして前記サーバに保存された前記変動情報を得る為のアドレスを含むことを特徴とする。
【００１８】
本発明の第２のナビゲーションシステムは、カーナビゲーションシステム本体と、前記カーナビゲーションシステム本体に接続された端末装置とからなる車載システムと、サービス提供地点の変動情報を保存するサーバとが所定のネットワークを介して接続されたカーナビゲーションシステムであって、前記カーナビゲーションシステム本体は、サービス提供地点の固定情報を保存する記憶手段と、現在地及び目的地を特定し、前記特定した現在地と目的地との間の走行ルート周辺のサービス提供地点を前記固定情報から検索する制御手段と、前記検索したサービス提供地点の固定情報を前記端末装置に出力する手段と、を備え、前記端末装置は、前記固定情報は、前記ネットワークを介してサーバにアクセスして前記サーバに保存された前記変動情報を得る為のアドレスを含むことを特徴とする。
【発明の効果】
【００１９】
本発明では、見知らぬ不案内な土地において、現在地又は目的地若しくは走行ルートの途中で、レストラン等の食事提供サービス地点を検索し、希望する食事提供サービスがある場合には、それを予約することができ、時間を有効に使用することができる。また、現在地から希望する食事提供サービス地点までの所用時間を考慮して、それを予約することができ、ゆとりをもって車両を走行させることができ、来店後は待時間なく出来たての料理を口にすることができる。
【００２０】
また、カーナビゲーションシステムの本来の機能と携帯端末の本来の機能を併用することにより、それぞれの既存の機能を利用し、カーナビゲーションシステムや携帯端末に大きな機能変更を求めることなく、サービス提供地点の予約を行うことができる。
【発明を実施するための最良の形態】
【００２１】
以下、図面を参照して本発明による食事提供サービス地点を予約するためのカーナビゲーションシステム、カーナビゲーションシステムを利用した食事提供サービス地点の予約方法を説明する。本発明の利用態様の一例を概説すると、ドライブ中等に車中から外食の予約やドライブスルー等の商品購入予約が可能になる場合があるので、車の現在地の抽出とその近傍の外食レストラン等の選出機能を有するカーナビと、カーナビと携帯電話を接続し、携帯電話から食事提供サービスの注文予約をすることに特徴がある。
【００２２】
図１は、本発明の利用例を示す概略図である。本発明を実施するため、車載側システム１０と複数の店舗群側システム２０とが、インターネット等のネットワーク１００を介して接続されている。
【００２３】
図２は、車載側システム１０の詳細図である。車載側システム１０は、例えば、携帯端末１０１とカーナビゲーションシステム１０２より構成されている。本実施形態において、携帯端末１０１は携帯電話であるが、ネットワーク１００を介して各種サーバにアクセスすることができる機能があれば、ＰＤＡ（パーソナルディジタルアシスタンツ）等の端末装置でもよい。
【００２４】
本実施形態では、市販されているメール機能付きの携帯電話１０１を別体で利用し、既存のカーナビゲーションシステム１０２にケーブルによって携帯電話１０１を接続しているが、カーナビゲーションシステム１０２自体に、携帯電話１０１の機能、例えば、希望するサービスを選択できる入力手段の機能、ネットワーク１００を介して、各種サーバにアクセスすることができる制御手段の機能、サーバから提供されるＷｅｂサイトを表示することができる表示手段の機能が内蔵されていてもよい。  
また、カーナビゲーションシステム１０２は、各種ソフトウェアのデータベース１０３を保存することができるようになっている。そのため、カーナビゲーションシステム１０２は、図示しない記憶手段を備えている。さらに、カーナビゲーションシステム１０２は、基本的な機能として、衛星通信２００と接続されており、記憶手段に保存したデータベース１０３を元に車の現在地を抽出する機能を有する。
【００２５】
図３は、店舗群側システム２０の詳細図である。店舗群側システム２０は、食事提供サービス地点に設けられているサーバである。食事提供サービス地点とは、外食レストランやファーストフードのドライブスルーである。店舗群側システム２０は、それぞれ、処理装置２０１とメニュー等の情報のデータベース２０２を保有している。
【００２６】
処理装置２０１は情報処理装置であり、インターネット１００に接続されてカーナビゲーションシステム本体又は携帯電話１０１からの要求により店舗で扱っているメニュー等の情報を送信したり、カーナビゲーションシステム本体又は携帯電話１０１からの事前予約の受付を受信したりする機能を有する。
【００２７】
図４は、車載システム１０のデータベース１０３に保存された固定情報を示している。もっとも、カーナビゲーションシステム１０２にインストールするソフト自体に固定情報が記録されており、他の地域の固定情報を利用するときには、データベース１０３には、その地域の固定情報が保存される。
【００２８】
固定情報とは、例えば、店名、連絡先、雰囲気、価格評価、駐車場の有無、味の評価、ＵＲＬやドメイン名等のアドレスに関する情報であり、食事提供サービス地点固有の客観的な情報で、かつ、変更されることが殆どない情報である。
【００２９】
図５は、店舗群側システム２０のデータベース２０２に保存された変動情報を示している。変動情報は、開店中、休憩中、メニュー、メニューの特徴、価格、店舗の込み具合、駐車場の込み具合に関する情報であり、食事提供サービス地点固有の主観的な情報で、季節、曜日、時間帯等が原因となって変更される頻度が高い新鮮な情報である。店舗群側システム２０がサーバとしての機能を有していることから、固定情報内のアドレスから変動情報に容易にアクセスすることができる。
【００３０】
図６は、カーナビゲーションシステムの使用者が、希望する食事提供サービス地点において、希望するメニューを、希望する時刻で予約する場合の操作手順を示すフローチャートである。図６は、車両の現在地周辺で食事提供サービス地点を予約する実施形態を示しているが、車両の目的地周辺や、車両の走行ルート周辺で食事提供サービス地点を予約する場合、検索地域を指定する以外は現在地周辺で食事提供サービス地点を予約する場合と実質的に同じである。
【００３１】
車両での旅行中に食事をしたくなると、使用者は、携帯電話の入力手段を利用してシステムを立ち上げ、例えば日本食や中華料理または洋食といった希望の食事の種類を入力する（ステップＳ１）。カーナビゲーションシステム１０２の制御手段は、ＧＰＳ等の衛星通信２００によって、現在地、すなわち、車両の場所を割り出して特定する（ステップＳ２）。
【００３２】
カーナビゲーションシステム１０２又は携帯電話１０１から食事の種類やドライブスルーでの商品の購入に関しての操作は、サービスの種類が相違するだけなので、以下、日本食を例に説明する。制御手段は、車両の場所を特定した後、データベース１０３に予め登録してある固定情報を選出する。本実施形態では、現在地周辺で予約を行うので、選出の条件は、「現在地周辺」と「日本食レストラン」となる（ステップＳ３）。すると、カーナビゲーションシステム１０２又は携帯電話１０１の表示手段に、現在地周辺の図４に示す如く日本食レストランの一覧が表示される（ステップＳ４）。
【００３３】
使用者は、店名等の固定情報から第一希望のレストランを入力手段から選択すると（ステップＳ５）、第２の制御手段は固定情報の中のアドレスを参照して、携帯電話１０１から店舗群側システム２０のサーバにアクセスする。そして、第２の制御手段は、サーバのデータベース２０２に保存してある変動情報をネットワークを介して受信し、カーナビゲーションシステム１０２又は携帯電話１０１の表示手段に表示する（ステップＳ６）。使用者は、新鮮な変動情報を参照して、固定情報の中から選択した日本食レストランに決定するかを判断する（ステップＳ７）。選択した日本食レストランを希望しない場合は、固定情報から第２希望のレストランを入力手段から選択する（ステップＳ１０１）。この操作は、希望するレストランが見つかるまで繰り返す。
【００３４】
変動情報から選択したレストランを希望する場合には、入力手段からメニューを選択する（ステップＳ８）。図５には示されていないが、変動情報には、開店中、休憩中、メニュー、メニューの特徴、価格、店舗の込み具合、駐車場の込み具合に関する情報が含まれており、さらに、固定情報として表示した所用時間を参照して、来店時刻Ｘを入力手段から指定する（ステップＳ９）。店舗群側システムからは処理装置２０１により、現在の込み具合や客待ち状態から来店時刻Ｘの可否が判定され、予約番号Ｙがインターネット１００を介して送付され、車載システム１０の表示手段には、来店時刻Ｘと予約番号Ｙが表示される（ステップＳ１０）。使用者は、固定情報の所用時間を参照しながら、所定の時刻に予約番号Ｙを持参して、日本食レストランに入店する。予約を入れておくことにより、席に着く時間に合わせて料理が用意されるので、待ち時間なく食事をとることができる。
【００３５】
以上の実施形態では、車両の現在地周辺の食事提供サービス地点を予約することを目的としたが、車両の目的地周辺や車両の走行ルート周辺で食事提供サービス地点の予約を行うこともできる。この場合、食事提供サービス地点の予約時刻までに車両が到着しないことがある。そのため、数十分、数時間後に食事提供サービス地点を予約する場合には、現在時刻に所用時間を加算した時刻と、予約した来店時刻を比較して、第１の制御手段又は第２の制御手段が、車両の到着可否判定を行うようにすることが好ましい。そのため、制御手段は、来店時刻を基準にして到着予定時刻の誤差を表示する。こうすることにより、使用者は確実に食事提供サービス地点を予約することができ、一方、店舗側も確実に客が来店することを確認することができる。
【図面の簡単な説明】
【００３６】
【図１】本発明の利用例を示す概略図である。
【図２】車載側システムの詳細図である。
【図３】店舗群側システムの詳細図である。
【図４】カーナビゲーションシステムに保存した固定情報の表である。
【図５】店舗群側のサーバに保存してある変動情報の表である。
【図６】本発明の動作のフローチャートである。
【符号の説明】
【００３７】
１０  車載側システム
２０  店舗群側システム
１００  ネットワーク
１０１  携帯電話
１０２  カーナビゲーションシステム
１０３  データベース
２００  衛星通信
２０１  処理装置
２０２  データベース
【図１】
2005332414.tif 000003
【図２】
2005332414.tif 000004
【図３】
2005332414.tif 000005
【図４】
2005332414.tif 000006
【図５】
2005332414.tif 000007
【図６】
2005332414.tif 000008